(57)【特許請求の範囲】
【請求項１】
シリンジとプランジャーにより構成される容器を取り付けて、ぜんまいバネに蓄積されたエネルギーにより前記容器におけるプランジャーの移動を行うと共に、プランジャーの移動と停止を行うプランジャーの駆動装置であって、
シリンジを固定する手段と、
移動板状部材及びラッチ機構を含むプランジャー移動手段と、
を有し、
前記移動板状部材は、
シリンジと略平行に設けられ、シリンジの長さ方向に移動する縦長の板状の部材であって、長さ方向に少なくとも１個の凹形状の係止部を有し、
プランジャーの反シリンジ側端を当接させるプランジャー押板状部材が設けられ、
ぜんまいバネの弾性エネルギーによりプランジャーを液吐出口方向に移動可能なようにぜんまいバネの自由端が接続されており、
前記ラッチ機構は、
前記移動板状部材に近接して設けられ、
前記係止部を係止するラッチを有し、
プランジャーの停止時においては、前記係止部に前記ラッチが作用することにより前記移動板状部材の移動を停止し、
シリンジ内の液を吐出させる液吐出工程時においては、前記ラッチによる前記係止部への係止が解除され、前記ぜんまいバネに蓄積されたエネルギーによりプランジャーを移動させて該液を吐出させる、プランジャーの駆動装置。
【請求項２】
前記移動板状部材の長さ方向の前記凹形状の前記係止部の断面形状が、長さ方向に略垂直な線と傾斜又はカーブを有する線により囲まれ、該垂直な線は、前記液吐出工程時における前記移動板状部材の移動方向についての後方にあり、傾斜又はカーブを有する線は前記液吐出工程時における前記移動板状部材の移動方向についての前方にある、請求項１記載の駆動装置。
【請求項３】
シリンジとプランジャーにより構成される容器を取り付けて、ぜんまいバネに蓄積されたエネルギーにより前記容器におけるプランジャーの移動を行うと共に、プランジャーの移動と停止を行うプランジャーの駆動装置であって、
シリンジを固定する手段と、
移動板状部材及びラッチ機構を含むプランジャー移動手段と、
を有し、
前記移動板状部材は、
シリンジと略平行に設けられ、シリンジの長さ方向に移動する縦長の板状の部材であって、長さ方向に少なくとも１個の凸形状の係止部を有し、
プランジャーの反シリンジ側端を当接させるプランジャー押板状部材が設けられ、
ぜんまいバネの弾性エネルギーによりプランジャーを液吐出口方向に移動可能なようにぜんまいバネの自由端が接続されており、
前記ラッチ機構は、
前記移動板状部材に近接して設けられ、
前記係止部を係止するラッチを有し、
プランジャーの停止時においては、前記係止部に前記ラッチが作用することにより前記移動板状部材の移動を停止し、
シリンジ内の液を吐出させる液吐出工程時においては、前記ラッチによる前記係止部への係止が解除され、前記ぜんまいバネに蓄積されたエネルギーによりプランジャーを移動させて該液を吐出させる、プランジャーの駆動装置。
【請求項４】
前記移動板状部材の長さ方向の前記凸形状の前記係止部の断面形状が、長さ方向に略垂直な線と傾斜又はカーブを有する線により囲まれ、該垂直な線は、前記液吐出工程時における前記移動板状部材の移動方向についての前方にあり、傾斜又はカーブを有する線は前記液吐出工程時における前記移動板状部材の移動方向についての後方にある、請求項３記載の駆動装置。
【請求項５】
前記移動板状部材が複数の前記係止部を有しており、
複数の前記係止部の間隔が、シリンジ内の液を所定量吐出させるために要するプランジャーの移動距離に対応している、請求項１〜４のいずれか1項に記載の駆動装置。
【請求項６】
前記係止部への係止を解除する際の前記ラッチの移動動作が、電磁石の励磁と消磁により行われる、請求項１〜５のいずれか1項に記載の駆動装置。
【請求項７】
前記係止部への係止を解除する際の前記ラッチの移動動作を実施させるスイッチングが、手動操作又はコンピュターによって制御される、請求項１〜６のいずれか1項に記載の駆動装置。
【請求項８】
シリンジと、
前記シリンジ内に前記シリンジと密接して挿入されて、前記シリンジ内を前記シリンジの長さ方向に摺動するプランジャーと、
を有し、
前記プランジャーの移動により、前記シリンジの一端に設けられた液吐出口から前記シリンジ内の液を前記シリンジ外に押し出す液供給装置であって、
前記シリンジ内の液をシリンジの液吐出口からシリンジ外に押し出す液吐出工程時において、請求項１〜７のいずれか１項に記載の駆動装置を用いる、液供給装置。
【発明の詳細な説明】
【技術分野】
【０００１】
本発明は、液供給装置の駆動装置及び液供給装置に関するものである。更に詳しくは、本発明は、シリンジとプランジャーにより構成される液供給装置に取り付けて使用することができ、該液供給装置におけるプランジャーの移動をぜんまいバネに蓄積されたエネルギーにより行うと共に、所望の工程に従ってプランジャーの移動と停止を行うことができる液供給装置の駆動装置、及び
該駆動装置を用いた液供給装置であって、人力でプランジャーを押し出す必要がなく、プランジャーの全移動工程にわたって均一な押し出し力を発現できるため円滑な押し出し動作を実行でき、また所望の工程に従って液の供給と停止を行うことが可能であり、しかも極めてコンパクトで故障要因が少ないという、特に産業上実施のうえで優れた特徴を有する液供給装置に関するものである。
【背景技術】
【０００２】
シリンジ内の液体をプランジャーでシリンジの外部の所望の容器等に押し出して供給する液供給装置は、諸所で汎用されている。ここで、押し出し時のプランジャーの移動を人力に依らず、外部のエネルギーを利用する方法としては、バネの弾性エネルギーを用いる方法、モーターの駆動力を用いる方法、圧縮気体でプランジャーを押すか又は減圧気体で吸引する方法等があげられる。このうち、バネを用いる方法は、比較的に装置が簡単であり、コスト面からも有利である。バネを用いる方法のひとつとして、特許文献１にはコイルバネ又はガスバネを用いた薬剤送出システムが開示されている。
【先行技術文献】
【特許文献】
【０００３】
【特許文献１】特表２００５−５３４４３３号公報
【発明の概要】
【発明が解決しようとする課題】
【０００４】
ところで、本発明者等は、たとえば自動化学反応装置に用いられる液供給装置において、所望の工程に従って液の供給と停止を行う必要があり、しかも故障が少なく、高い信頼性の下で円滑な安定運転が可能であり、かつコンパクト性が必要であるという高い要求水準を設定した。しかしながら、かかる要求のすべてを十分に充足する液供給装置は実現されていない。
【０００５】
かかる状況において、本発明が解決しようとする課題は、シリンジとプランジャーにより構成される容器に取り付けて使用することができ、該容器におけるプランジャーの移動をぜんまいバネに蓄積されたエネルギーにより行うと共に、所望の工程に従ってプランジャーの移動と停止を行うことができるプランジャーの駆動装置、及び
該駆動装置を用いた液供給装置であって、人力でプランジャーを押し出す必要がなく、プランジャーの全移動工程にわたって均一な押し出し力を発現できるため円滑な押し出し動作を実行でき、また所望の工程に従って液の供給と停止を行うことが可能であり、しかも極めてコンパクトで故障要因が少ないという、特に産業上実施のうえで優れた特徴を有する液供給装置を提供する点にある。
【課題を解決するための手段】
【０００６】
すなわち、本発明のうち第一の発明は、シリンジとプランジャーにより構成される容器に取り付けて使用することができ、該容器におけるプランジャーの移動をぜんまいバネに蓄積されたエネルギーにより行うと共に、所望の工程に従ってプランジャーの移動と停止を行うことができるプランジャーの駆動装置に係るものである。
【０００７】
また、本発明のうち第二の発明は、シリンジ及びプランジャーを含み、該プランジャーは該シリンジ内にシリンジと密接して挿入されて該シリンジ内をシリンジの長さ方向に摺動可能なものであり、該プランジャーの移動によりシリンジ内の液体をシリンジの一端に設けられた液吐出口からシリンジ外に押し出す液供給装置であって、シリンジ内の液体をシリンジの液吐出口からシリンジ外に押し出す液吐出工程において、プランジャーの移動がぜんまいバネに蓄積されたエネルギーにより行われ、かつ所望の工程に従ってプランジャーの移動と停止が行われる機能を有する液供給装置に係るものである。
【発明の効果】
【０００８】
本発明により、シリンジとプランジャーにより構成される容器に取り付けて使用することができ、該容器におけるプランジャーの移動をぜんまいバネに蓄積されたエネルギーにより行うと共に、所望の工程に従ってプランジャーの移動と停止を行うことができるプランジャーの駆動装置、及び
該駆動装置を用いた液供給装置であって、人力でプランジャーを押し出す必要がなく、プランジャーの全移動工程にわたって均一な押し出し力を発現できるため円滑な押し出し動作を実行でき、また所望の工程に従って液の供給と停止を行うことが可能であり、しかも極めてコンパクトで故障要因が少ないという、特に産業上実施のうえで優れた特徴を有する液供給装置を提供することができる。
【図面の簡単な説明】
【０００９】
【図１】本発明の液供給装置の全体（初期セッティング時）を示す図である。
【図２】本発明の液供給装置の全体（液供給動作の途中）を示す図である。
【図３】移動板状部材に設けられた凸状の係止部の例を示す図である。
【図４】移動板状部材に設けられた凹状の係止部の例を示す図である。
【発明を実施するための形態】
【００１０】
以下、本発明を実施するための形態について、詳細に説明する。ここで、以下に記載する例は、あくまでも好ましい態様の一例を示すものであり、本発明の権利範囲を制限するものではないことに留意されたい。また、括弧内の数字は図中の符号に対応する。なお、本明細書において、図１及び図２におけるＸ軸方向をシリンジの長さ方向と称し、Ｙ軸方向をシリンジに対する垂直方向と称する。
【００１１】
本発明の液供給装置は、シリンジ（２）及びシリンジ内にシリンジと密接して挿入され、シリンジ内をシリンジの長さ方向に摺動可能なプランジャー（３）を含み、プランジャーの移動によりシリンジ内の液体（１）をシリンジの一端に設けられた液吐出口（４）からシリンジ外に押し出す液供給装置である。なお、本発明におけるシリンジとは液体を保持できる円筒体（外筒）であり、プランジャーは押し子とも呼ばれるものである。
【００１２】
かかるシリンジ−プランジャー型式の容器は、例えば使い捨ての注射筒等として汎用されている。本発明の液供給装置もそのような汎用品を用いることができ、またその大きさ及び材質についても制限はない。たとえば、プラスチック製のシリンジ及びプランジャーからなり、プランジャーの先端部分には気密性を維持するために弾性体のガスケットを設けたものを用いることができる。この場合において、プランジャー本体とガスケットは一体として形成されていても良く、それぞれ別々に構成され、ねじ止め等の手段によりはめ合わせたものであっても良い。
【００１３】
本発明の液供給装置では、シリンジ内の液体をシリンジの液吐出口からシリンジ外に押し出す液吐出工程において、プランジャーの移動がぜんまいバネ（５）に蓄積されたエネルギーにより行われる。本発明に依らず、スプリングバネを用いた場合、スプリングバネは、その伸張時と復元時とで弾性力が大きく異なり、よってプランジャーの全移動工程にわたって均一な押し出し力を発現できない。ここで、プランジャーに与えられる力が過大であると液の吐出力が過大となり、装置の接続部分から液漏れ等の不都合を生じ、一方プランジャーに与えられる力が過小であるとプランジャーの進行が途中で停止するなど、やはり不都合である。本発明に係る液供給装置はぜんまいバネを用いているので、スプリングバネに見られるような上記のごとき不都合は無く、プランジャーの全移動工程にわたって実質的に等しい力をプランジャーに与える事ができる。なお、ぜんまいバネの好ましい強度範囲、すなわちバネ定数の範囲は、シリンジの大きさや、充填される液の粘性等に依存するので、予めプランジャー先端のガスケットとシリンジとの摺動抵抗及び液漏れする荷重を測定して決定することが好ましい。好ましい態様において、用いるバネのバネ定数は、例えば容量１ｍｌのシリンジに生理食塩液等を充填させた場合は５〜１５Ｎ、５ｍｌのシリンジに生理食塩液等を充填させた場合は１０〜１００Ｎとする。
【００１４】
本発明の液供給装置は、所望の工程に従ってプランジャーの移動と停止を行う事が可能な機能を有するものである。つまり、プランジャーの移動と停止をコントロールすることによって所望の時点に所望の量の液を供給でき、かつ必要な場合には、その移動と停止の動作を複数回行うことができる機能を有する。
【００１５】
かかる機能を実現する好ましい実施態様は次のとおりである。（図１及び図２参照。）
【００１６】
シリンジを固定する手段（６）及びプランジャー移動手段を設ける。
【００１７】
シリンジを固定する手段は、要するにプランジャーの移動時にシリンジが移動するのを防止する手段であり、たとえば固定台や固定柱にシリンジを固定すればよい。
【００１８】
プランジャー移動手段は、移動板状部材（７）及びラッチ機構（１７）を含み、
移動板状部材は、
シリンジと略平行に設けられ、
シリンジの長さ方向に移動可能な縦長の板状の部材であって、
プランジャーの反シリンジ側端に該プランジャーに当接可能なプランジャー押板状部材（８）が設けられ、
ぜんまいバネの弾性エネルギーによりプランジャーを液吐出口方向に移動可能なように任意の位置でぜんまいバネの自由端（１６）が接続され、
長さ方向に少なくとも１個の係止部（９）が設けられた  部材であり、
ラッチ機構は、
移動板状部材に近接して設けられ、
前記係止部を係止可能なラッチ（１０）を有し、
プランジャーの停止時においては係止部にラッチが作用することにより移動板状部材の移動が停止され（図１）、
シリンジ内の液を吐出させる際には、ラッチによる係止部への係止が一旦解除され、ぜんまいバネに蓄積されたエネルギーによりプランジャーを移動させて該液を吐出させる  機構
であるプランジャー移動手段である。
【００１９】
移動板状部材は、縦長の板状の部材であるが、ここで板状の部材とは、文字通りの板状の部材の他、いわゆる棒状のものも含む概念である。
【００２０】
移動板状部材には、プランジャーの反シリンジ側端のプランジャーヘッドに当接可能なプランジャー押板状部材が設けられている。押板状部材は、要するにプランジャーの反シリンジ側端に接して、プランジャーを押して移動させるための接触部材であればよい。
【００２１】
上述したように、移動板状部材には、ぜんまいバネの弾性エネルギーによりプランジャーを液吐出口方向に移動可能なように任意の位置でぜんまいバネの自由端が接続されている。つまり、移動板状部材はぜんまいバネの蓄積エネルギーを受け取ることができ、そのエネルギーでプランジャーが移動するのである。
【００２２】
移動板状部材には、その長さ方向に少なくとも１個の係止部が設けられている。この係止部と次に説明するラッチ機構が協働して、移動板状部材の移動と停止、つまりプランジャーの移動と停止を実現するのである。本発明に係る係止部は、凹形状または凸形状の構造物を好ましく用いる事ができる。具体的には、平面への突出物の形成（図３）、平面への切り込み（図４）等をあげることができる。
【００２３】
移動板状部材に設ける係止部の数と位置は、本発明の液供給装置の使用実態に合わせて決定すればよいが、通常１〜５である。各係止部の位置は、シリンジから吐出させる液の量に対応した位置、即ち、液を必要量吐出させるために要するプランジャーの移動距離に対応した位置に設けられる。例えば、容量１０ｍＬのシリンジを用い、順に５ｍＬ、２．５ｍＬ、２．５ｍＬの液を吐出させる場合には、それぞれ５ｍＬ、２．５ｍＬ、および２．５ｍＬの液をシリンジから吐出させる際のプランジャーの移動距離に対応した位置に、順に係止部が設けられる。また、公知のねじ止め機構等を用いて、係止部の位置を任意に変更可能な形態としても良い。この場合、移動板状部材上に、シリンジから吐出される液量に対応したメモリを設けておくと、係止部の位置を設定する場合に便利である。このような機構を設ける事により、係止部の位置を自由に設定することができ、移動板状部材を停止させる位置、つまりプランジャーを停止させる位置を自由に設定することができる。結果として液の供給量を自由に設定できる。
【００２４】
なお、運転開始に先立って液を満たしたプランジャーをセットして停止させる位置（すなわち、シリンジセット完了時におけるプランジャーの位置）において、ラッチによって係止されるように移動板状部材の係止部を設けておくと、セット完了状態でプランジャーは停止状態を維持でき、便利である。
【００２５】
ラッチ機構は、移動板状部材に近接して設けられ、前記係止部と係止可能なラッチを有し、プランジャーの停止時においては係止部にラッチが作用する、言い換えるとラッチが係止部の移動に対する障害となることにより移動板状部材の移動が停止される構造を有する機構である。図面を参照して説明すると、停止状態において、ラッチはラッチハウジング（１１）内に設けられたバネ（図示せず）により押し上げられ、移動板状部材に設けられた係止部と鋭角的に接し、移動板状部材を停止させている（図１）。
【００２６】
係止部の形状は、好ましくは、長さ方向に略垂直な線と傾斜又はカーブを有する線により囲まれた形状とすることができる。例えば、凸状の係止部を用いる場合には、図３に示すように、長さ方向に略垂直な線（１８）と傾斜又はカーブを有する線（１９）により囲まれ、該略垂直な線は液吐出工程時における移動板状部材の移動方向についての前方にあり、該傾斜又はカーブを有する線は液吐出工程時における移動板状部材の移動方向についての後方にある構造を挙げる事ができる。
【００２７】
一方、凹状の係止部をもうけた場合を例にとると、長さ方向に略垂直な線（１４）と傾斜又はカーブを有する線（１５）により囲まれ、該略垂直な線は液吐出工程時における移動板状部材の移動方向についての後方にあり、傾斜又はカーブを有する線は液吐出工程時における移動板状部材の移動方向についての前方にある構造をあげることができる（図４）。
【００２８】
かかる構造とすることにより、プランジャーの停止時においてはラッチハウジング内に設けられたバネにより押し上げられたラッチが係止部と鋭角的に当接するため、移動板状部材の移動は停止される。一方、液吐出工程に先立つ移動板状部材のセッティング操作時、すなわち板状部材を液吐出口とは逆方向に移動させるときにはラッチが係止部と斜めの線で接しているので、ラッチがシリンジに対する垂直方向に移動してラッチハウジング内に押し下げられるため、係止部とひっかからず、よって停止することなく滑らかに移動できるのである。すなわち、上記の様な係止部の形状は、液吐出工程と逆方向の移動板状部材の移動時においては係止部の移動に対してラッチが障害とならない形状ということができる。
【００２９】
なお、好ましい態様において、ラッチの先端の形状も、長さ方向に略垂直な線と傾斜又はカーブを有する線とで囲まれた形状とし、該略垂直な線は液吐出工程時における移動板状部材の移動方向についての後方にあり、該傾斜又はカーブを有する線は液吐出工程時における移動板状部材の移動方向についての前方にある構造とする。このような構造とすることにより、ラッチ機構を用いた上記動作を、よりスムーズに行う事ができる。
【００３０】
上記のとおり、プランジャーの停止時において、ラッチが係止部に作用することにより移動板状部材が停止するので、結果としてプランジャーの移動も停止する。そして、その次の液供給動作が必要な時点で、ラッチによる係止部への係止を一旦解除する事により、ぜんまいバネの弾性力によってプランジャーがシリンジに押し込まれ、次にラッチが係止部を係止するまで、シリンジから液が吐出される（図２）。ラッチによる係止部への係止を一旦解除する際のラッチの移動動作を実現する方法は、公知の方法を用いる事ができ、例えば、ラッチハウジング内に設けた電磁石の励磁と消磁による機構を用いることができる。
【００３１】
電磁石を用いる方法は、例えば、磁石吸引性材料で製作されたラッチ又は磁石吸引性材料が接着されたラッチを用い、ラッチのラッチハウジング内への移動動作時（即ち、ラッチによる係止部への係止の解除時）において、ラッチ後方に固定した電磁石を通電させて磁石吸引性材料部分を引き付けるといった、公知の方法を用いる事ができる。
【００３２】
ラッチによる係止部への係止を解除する際のラッチの移動命令は、手動操作でスイッチをいれるといった方法で行っても良く、コンピュター制御により自動化してもよい。コンピュター制御により自動化する方法としては、公知の方法（たとえば、再表２００８−０２９７３４号参照。）を適用できる。
【００３３】
上記の様に、本発明によると、係止部に対するラッチの係止と解除、つまり液の供給と停止を所望どおりに実施することができるのである。しかも、本発明では、プランジャーを移動させるのにぜんまいバネのエネルギーを使用するため、モーターの駆動力や空気力を使用する技術に比べ、製作コストも運転コストも格段に低くでき、故障が少なく、安定運転が可能になるのである。また、プランジャーの移動と停止を係止部／ラッチ機構という比較的簡単な構造とすることにより、歯車等の複雑な機械機構を用いる必要がなく、やはり製作コストが低くでき、故障頻度も減少させることができ、かつコンパクト化を図ることができるのである。
【００３４】
以上の説明により、本発明の液供給装置は十分に理解可能であるが、念のため、本発明の液供給装置の使用方法の例をあげて本発明を説明する。
【００３５】
まずシリンジの液吐出口を適当な容器中の液に漬け、プランジャーをシリンジの液吐出口と反対方向に移動させることにより、液をシリンジ内に吸い上げて充填する。当該シリンジを予め液の吐出方向の後方に必要な距離引き伸ばされた移動板状部材上に置き、プランジャー押板状部材がプランジャーの反シリンジ側端に当接するように固定してセットする（図１）。このとき、ぜんまいバネは引き伸ばされ、バネの弾性エネルギーが蓄積される。セット完了時にラッチによって移動板状部材の動きが止められるように係止部が設けられているため、セット完了状態でプランジャーは停止状態を維持できる。
【００３６】
所望の液供給開始時期が到来すると、手動操作によるスイッチング又はコンピュターからの信号命令を受け、ラッチハウジング内に設置された電磁石が通電され、ラッチがシリンジに対する垂直方向、言い換えると係止部から離れる方向に一旦移動する（図２）。その結果、ラッチによる係止部への係止が解除され、移動板状部材がぜんまいバネのエネルギーによって移動する事によってプランジャーは液吐出口側に移動を開始し、液吐出口から液が吐出・供給される。次いで、電磁石への通電を停止する事により、ラッチハウジング内に格納されていたラッチが、ラッチハウジング内に設けられたバネによって押し上げられ、元の位置に戻る。そして、移動板状部材に設けられた次の係止部とラッチが出会う位置まで移動板状部材が移動すると、その位置でラッチが係止部の移動に対する障害となるため、移動板状部材が停止し、液の供給が停止する。更に、次の液供給開始時期が到来すると、上記と同様の要領でラッチによる係止部への係止が解除され、液の供給が再開される。この動作は、設定された係止部の個数に従って、繰り返される。なお、シリンジ内の全液を一回で吐出させる場合（即ち、シリンジ内に格納された液の全量を後述する自動化学反応装置等に供給する場合）は途中の係止部を設けないか又は係止部が設けられている場合はラッチを常時係止解除状態となるように（即ち、ラッチハウジング内の電磁石を常時通電した状態となるように）操作すればよい。
【００３７】
本発明の液供給装置は、前記のとおりの優れた特徴を有するものであり、その特徴を生かして、自動化学反応装置に最適に用いることができる。自動化学反応装置は、所望の合成スキームに従って、段階的に所定量の液を反応系に供給するが、本発明に係る液供給装置を用いる事により、かかる液の供給を、簡便かつ確実に行う事が可能となる。また、液供給時におけるプランジャーの移動にステッピングモータなどの機械的動力を必要としないので、安価であるとともに、故障等のリスクを軽減する事もできる。
【００３８】
前記自動化学反応装置としては、放射性医薬品の自動合成装置をあげることができる。放射性医薬品の自動合成装置の使用は放射能の取扱い許可地域に限定されるが、本発明の液供給装置はコンパクト性に優れるため、かかる状況での設置と使用に特に好都合である。放射性医薬品としては、［１８Ｆ］フルオロデオキシグルコース、［１８Ｆ］１−アミノ−３−フルオロシクロブタンカルボン酸等をあげることができる（たとえば、再表２００８−０２９７３４参照。）。
【００３９】
なお、本発明の液供給装置が扱う対象の液体には、比較的粘性の低い液体の他、高い粘性を有するペースト状のものも含む。
【産業上の利用可能性】
【００４０】
本発明は、シリンジ及びシリンジ内にシリンジと密接して挿入され、シリンジ内をシリンジの長さ方向に摺動可能なプランジャーを含み、プランジャーの移動によりシリンジ内の液体をシリンジの一端に設けられた液吐出口からシリンジ外に押し出す液供給装置であって、人力でプランジャーを押し出す必要がなく、プランジャーの全移動工程にわたって均一な押し出し力を発現できるため円滑な押し出し動作を実行でき、また所望の工程に従って液の供給と停止を行うことが可能であり、しかも極めてコンパクトで故障要因が少ないという、特に産業上実施のうえで優れた特徴を有する液供給装置に適用することができる。
【符号の説明】
【００４１】
１  液体
２  シリンジ
３  プランジャー
４  液吐出口
５  ぜんまいバネ
６  シリンジを固定する手段
７  移動板状部材
８  プランジャー押板状部材
９  係止部
10  ラッチ
11  ラッチハウジング
14  凹状の係止部の形状・・・長さ方向に略垂直な線
15  凹状の係止部の形状・・・傾斜又はカーブを有する線
16  ぜんまいばねの自由端
17  ラッチ機構
18  凸状の係止部の形状・・・長さ方向に略垂直な線
19  凸状の係止部の形状・・・傾斜又はカーブを有する線
【図１】
0005536630.tif 000002
【図２】
0005536630.tif 000003
【図３】
0005536630.tif 000004
【図４】
0005536630.tif 000005